(57)【特許請求の範囲】
【請求項１】
先端側に針受部を有したベースと、このベースの後端側に回転可能に支持された操作部と、前記ベースと操作部との間に配されるとともに前記ベースの後端側に回動可能に支持された針収容部とを備えたステープラであって、
前記ベースの後縁部と前記操作部の後縁部との間に形成される開口部を閉塞する後部カバーを有し、
この後部カバーが、前記操作部の下面側にもぐりこみ前記操作部に対して相対動作し得る一端部と、中間位置において前記ベース又は操作部の少なくとも一方に枢着された中間部と、前記ベースに対し相対動作可能に設けられた他端部とを具備しており、
前記他端部が、前記操作部の動作範囲の一部で前記ベースに当接し弾性変形し得る弾性変形部を有しており、
前記ベースが、ベース本体と、このベース本体上に形成された前記針受部と、前記ベース本体を下方から覆うベースカバーとを備えており、
前記操作部が、操作部本体と、この操作部本体の上側を覆う操作部カバーとを備えており、
前記他端部が、前記ベースカバーの下後端部に当接し得る当接面を備えており、
操作力が付与されていないとき、前記一端部が前記操作部カバーの下面に接しており、且つ、前記他端部の当接面が前記下後端部に対して離間していることを特徴とするステープラ。
【請求項２】
前記弾性変形部が、前記操作部の動作後半で弾性変形するものである請求項１記載のステープラ。
【請求項３】
前記中間部が、前記ベースに対し軸着されている請求項１又は２記載のステープラ。
【請求項４】
前記後部カバーが、樹脂の一体成形によって形成された請求項１、２又は３記載のステープラ。
【発明の詳細な説明】
【技術分野】
【０００１】
本発明は、紙葉類を綴じる用途に用いられるステープラに関するものである。
【背景技術】
【０００２】
従来、先端側に針受部を有したベースと、このベースの後端側に回転可能に支持された操作部と、前記ベースと操作部との間に配されるとともに前記ベースの後端側に回動可能に支持された針収容部とを備えた携帯用ステープラにおいては、ベースを構成するベースカバーの後縁部と操作部を構成する操作部カバーの後縁部との間に形成される開口部を閉塞する後部カバーを有してなるものが知られている(例えば、特許文献１参照)。
【０００３】
そして斯かる後部カバーは、ベースカバーの後縁部近傍に下端部が固定され、操作部の動作とともに弾性変形することによって、操作部の動作中、常に開口部を閉鎖することで、開口部から異物等が侵入し得ないように構成されている。
【０００４】
しかしながら、上記特許文献のようなものでは、後部カバーは下端部がベース側に固定されているため、操作部の繰り返される動作に応じて下端部が常に弾性変形し得るよう耐久性を付与すべく、素材の強度や厚みが一定以上必要となり、これまで携帯用ステープラの軽量化、コンパクト化する際の障壁となってきた。
【先行技術文献】
【特許文献】
【０００５】
【特許文献１】特許第４５２２８１０号公報
【発明の概要】
【発明が解決しようとする課題】
【０００６】
本発明は、上記のような課題に着目したものであり、軽量化、コンパクト化に寄与し得るステープラを提供することを目的としている。
【課題を解決するための手段】
【０００７】
本発明は、このような目的を達成するために、次のような手段を講じたものである。
【０００８】
すなわち、本発明に係るステープラは、先端側に針受部を有したベースと、このベースの後端側に回転可能に支持された操作部と、前記ベースと操作部との間に配されるとともに前記ベースの後端側に回動可能に支持された針収容部とを備えたステープラであって、
前記ベースの後縁部と前記操作部の後縁部との間に形成される開口部を閉塞する後部カバーを有し、この後部カバーが、前記操作部の下面側にもぐりこみ前記操作部に対して相対動作し得る一端部と、中間位置において前記ベース又は操作部の少なくとも一方に枢着された中間部と、前記ベースに対し相対動作可能に設けられた他端部とを具備しており、前記ベースが、ベース本体と、このベース本体上に形成された前記針受部と、前記ベース本体を下方から覆うベースカバーとを備えており、前記操作部が、操作部本体と、この操作部本体の上側を覆う操作部カバーとを備えており、前記他端部が、前記ベースカバーの下後端部に当接し得る当接面を備えており、操作力が付与されていないとき、前記一端部が前記操作部カバーの下面に接しており、且つ、前記他端部の当接面が前記下後端部に対して離間していることを特徴とするステープラ。
【０００９】
このようなものであれば、基端側が開放させているので、ベースに対して相対動作することによって弾性変形を抑えることができる。これにより、後部カバーの構成をより薄肉としても耐久性を維持できるので、ステープラの軽量化、コンパクト化に有効に寄与し得る。
【００１０】
開口部をより確実に閉塞し得るものとするために、他端部を、前記操作部の動作範囲の一部で前記ベースに当接し弾性変形し得る弾性変形部を有したものとしている。
【００１１】
特に好適に開口部を閉塞し得る弾性変形部の具体的な態様としては、操作部の動作後半で弾性変形するという態様を挙げることができる。
【００１２】
また、後部カバーの動作をスムーズなものとして、無理な変形を有効に回避するためには、中間部を前記ベースに対し軸着しておくことが望ましい。
【００１３】
また、部品点数の削減並びに軽量化により寄与し得るものとして、後部カバーを、樹脂の一体成形によって形成したものを挙げることができる。
【発明の効果】
【００１４】
本発明によれば、軽量化、コンパクト化に寄与し得るステープラを提供することができる。
【図面の簡単な説明】
【００１５】
【図１】本発明の一実施形態に係る外観図。
【図２】同側面図。
【図３】同実施形態の要部を示す外観図。
【図４】図２に係る一部を破断して示す部分断面図。
【図５】図４に係る動作説明図。
【図６】同上。
【図７】同実施形態の参考例に係る構成説明図。
【図８】同参考例に係る一部を破断して示す側面図。
【図９】図８に係る動作説明図。
【図１０】図８の要部を示す作用説明図。
【図１１】図９に係る作用説明図。
【発明を実施するための形態】
【００１６】
以下、本発明の一実施の形態について図面を参照して説明する。
本実施形態に係るステープラは、紙葉類を綴じる用途に用いられるものであり、図１乃至図６に示すように、例えば卓上での使用の他、使用者が手に持って使用することができる所謂携帯用のものである。当該ステープラは、使用者に下方から把持されるベース１と、図示しないステープルを前記ベース１に向けて押し出す操作力を受け付ける操作部２と、前記ベース１と操作部２との間に配されるとともに前記ベース１の後端側に回動可能に支持されることにより操作部２が受け付けた操作力をステープルに伝達して該ステープルを押し出す機能を有する操作力伝達機構３２を有しステープルをベース１に向けて押し出すように構成された針収容部３と主に具備するものである。また針収容部３は、従来のステープラとして周知のものと同様に構成している。
【００１７】
そして本実施形態に係るステープラは、ベース１の後縁部と前記操作部２の後縁部との間に形成される開口部Ｈを閉塞する後部カバー４を有し、この後部カバー４により開口部Ｈから異物が入ってしまうことを有効に回避し得るものとしている。
【００１８】
ここで、本実施形態に係るステープラは、この後部カバー４が、操作部２の下面２２ａ側にもぐりこみ操作部２に対して相対動作し得る一端部４１と、中間位置においてベース１又は操作部２の少なくとも一方に枢着された中間部４２と、ベース１に対し相対動作可能に設けられた他端部４３とを具備していることを特徴とするものである。
【００１９】
以下、ステープラの具体的な構成を、ベース１、操作部２、そして後部カバー４の構成を主に説明する。
【００２０】
ベース１は、当該ベース１の主体をなすベース本体１０と、このベース本体１０上に形成された針受部１１と、ベース本体１０を下方から覆うベースカバー１２と、ベースカバー１２後端に設けられた支軸１３と、この支軸１３の若干下方から後方に突出した、ステープル取り外し用のフック１４とを有している。ベース本体１０は、本実施形態では主に金属製のものとし、その上部に形成された針受部１１を、ステープルが押し出される瞬間のみ下方へ没入させ得る構成のものとしている。針受部１１は、押し出されたステープルの対をなす先端を互いに相寄る方向へ曲げうるように対をなす凹陥形状をなし、上述のようにステープルが押し出される瞬間にはベース本体１０に対して没入し得るように構成している。なお本実施形態では、ステープルがベース本体１０に没入する際の針受部１１の動作する構造、及びフック１４の具体的形状を、従来のステープラとして周知のものと同様に構成しているので、これら構造、形状についての具体的な説明を省略する。支軸１３は、ベース本体１０の後端部分を横架して設けられ、後部カバー４を枢着又は枢支、具体的には軸支するものである。ベースカバー１２は、ベース本体１０の下方略全域を覆うように形成された例えば樹脂の一体成形によるものであり、後端付近ではフック１４を露出させているとともに、最も後方にある下後端部１５からさらに後方は、開口部Ｈの外縁を形成している。
【００２１】
操作部２は、ステープルを押し出すための操作力を受け付けるためのものであり、ベース１及び針収容部３に対してそれぞれ回転可能に構成されたものである。この操作部２は、針収容部３に操作力を直接伝える操作部本体２１と、この操作部本体２１の上側を覆う操作部カバー２２とを有している。操作部本体２１は、本実施形態では金属により構成されたもので、操作部カバー２２を介して受け付けた使用者のステープルを押し出す為の操作力を針収容部３の操作力伝達機構３２に直接伝えるものである。操作部カバー２２は、使用者が手によって把持し易いよう適宜表面を湾曲させて形成したものであり、その後端を、上述した下後端部１５とともに開口部Ｈの外縁をなす上後端部２３とし、この上後端部２３近傍の下面２２ａが、後部カバー４に接するように構成している。
【００２２】
針収容部３は、ステープルを前方に寄せて収容する収容部本体３１と、この収容部本体の上方に配置されてステープルを一本ずつ押し出し得る操作力伝達機構３２とを有している。上述の通り、この針収容部３は、既存の構成を適用することにより、操作部２からの操作力が伝達されると操作力伝達機構３２が先端の一本のステープルのみを収容部本体３１より下方へ押し出すものとしているが、その詳細な説明は省略する。
【００２３】
後部カバー４は、特に図４に示すようにベース１の支軸１３に軸着されることにより、ベース１の後縁部と前記操作部２の後縁部との間に形成される開口部Ｈを閉塞するために取り付けられた、例えば樹脂の一体成形によってなるものである。
【００２４】
しかして本実施形態に係るステープラは上述の通り、後部カバー４が、前記操作部２の、具体的には操作部カバー２２の下面２２ａ側にもぐりこみ前記操作部２に対して相対動作し得る一端部４１と、中間位置において前記ベース１に回動可能に支持させるべく枢着された中間部４２と、前記ベース１に対し相対動作可能に設けられた他端部４３とを具備している。一端部４１は、操作部カバー２２の上後端部２３から後方を覆うものであり、その最上部には操作部カバー２２の下面２２ａに接し、操作部２の動作に応じて下面２２ａに対して摺動し得る、摺動面４５を形成している。本実施形態では斯かる摺動面４５を、一端部４１先端に形成した対をなす突起の上面に形成しているが、勿論摺動面４５を形成する態様はこれに限られない。中間部４２は、その中間部４２分において一端部４１と他端部４３とを接続するよう前方に膨出する膨出部４２ａと、この膨出部の両側突出させた突片４２ｂとを有するものであり、この突片４２中央に、支軸１３に軸支される軸孔４６を形成している。他端部４３は、中間部４２から下方に帯状に突出するように形成されたものであり、操作部２の動作に応じてベースカバー１２の下後端部１５に当接し得る当接面４８と、この当接面４８の当接により適宜弾性変形し得る弾性変形部４７とを有している。なお本実施形態では、下後端部１５の形状は、他端部４３を前方に誘導され、且つ、開口部Ｈが必要十分に後部カバー４により閉塞され得る形状に設定されている。
【００２５】
以下、図４〜図６を参照しながら、この後部カバー４が、操作部カバー２２並びにベースカバー１２に対して動作する態様を具体的に説明する。
【００２６】
まず図４は、操作力を付与していない状態を示しているこのとき、一端部４１においては摺動面４５が操作部カバー２２の上後端部２３近傍の下面２２ａに接しており、当接面４８は、下後端部１５に対し僅かながら離間した状態となっている。そして使用者が操作部２に操作力を付与し始めると、図５に示す状態となる。同図に示すように、この状態では、摺動面４５は下面２２ａに対し、僅かながら後方に摺動しつつ一端部４１に下方で押し込まれながら、後部カバー４は軸孔４６を中心に回動する。その結果他端部４３も当接面４８が下後端部１５へ接する方向に回動してゆき、同図のように当接する。そして紙葉類の綴じ作業を終了させるべく操作部２をさらに下方へ動作させると、操作部２は動作後半の挙動を経て、図６に示す状態となる。同図では、摺動面４５が僅かずつ後方へ摺動しながら一端部４１が更に下方に押し込まれることで軸孔４６を中心とする回転がさらに促される。一方他端部４３は当接面４８の位置で下後端部１５に対し既に当接しているので、この当接した状態を維持しながら、弾性変形部４７の位置で弾性変形することとなる。詳細には、弾性変形部４７は、中間部４２の膨出部４２ａの弾性変形も促しながら弾性変形を行うものとなっている。
【００２７】
以上のような構成とすることにより、本実施形態に係るステープラは、最も下側にある他端部４３を固定せずに開放させて、ベース１に対して相対動作可能としているので、操作部２の操作域全域に亘る過度な弾性変形を抑えたものとしている。これにより、後部カバー４の構成をより薄肉としても耐久性を維持でき、このことがステープラの軽量化、コンパクト化に有効に寄与している。
【００２８】
また本実施形態では、他端部４３を、前記操作部２の動作範囲の一部で前記ベース１に当接し弾性変形し得る弾性変形部４７を有したものとして、上記の効果を維持しつつ、開口部Ｈをより確実に閉塞し得るものとなっている。
【００２９】
特に本実施形態では、操作部２の動作後半で弾性変形するという態様により、他端部４３の無理な弾性変形を抑えつつ好適に開口部Ｈを閉塞し得るものとなっている。
【００３０】
また本実施形態では後部カバー４の動作をスムーズなものとすべく、且つ後部カバー４や弾性変形部４７の無理な変形を有効に回避するため、中間部４２を前記ベース１に対し軸着したものとしている。
【００３１】
加えて本実施形態では、後部カバー４を、樹脂の一体成形によって形成することにより、後部カバー４を複数の部品とした場合の各部品の接続箇所の形成を回避するなど、構造を単純に且つ軽量にすることができ、さらには部品点数の削減に寄与している。
【００３２】
＜参考例＞
以下に本実施形態に係る参考例について、図７〜図１１に示して説明する。本参考例において、上記実施形態における構成要素に相当するものに対しては同じ符号を付するとともに、その詳細な説明を省略する。
【００３３】
ベース１については、ベース本体１０、針受部１１、ベース本体１０、支軸１３、フック１４は上記実施形態同様の構成をなす。本変形例では、ベースカバー１２の下後端部１５が、上方に立ち上がる突起１６を設け、この突起の後ろ側の面を、後部カバーの他端部４３の一部が一時的に接し乗り越え得る乗り越え面１７としている。また操作部２、針収容部３は上記実施形態と同じ構成並びに形状をなすものであるが本変形例では、収容部本体３１においてステープルを下方から支持する底壁３１ａの後端が、後部カバー４の他端部４３の一部に接し得るものとなっている。
【００３４】
後部カバー４は、上記実施形態同様に、ベース１の支軸１３に軸着されることにより、ベース１の後縁部と前記操作部２の後縁部との間に形成される開口部Ｈを閉塞するために取り付けられた、例えば樹脂の一体成形によってなるものである。つまり本変形例に係るステープラは上記実施形態同様、後部カバー４が、前記操作部２の、具体的には操作部カバー２２の下面２２ａ側にもぐりこみ前記操作部２に対して相対動作し得る上記実施形態同様の一端部４１と、中間位置において前記ベース１に回動可能に支持させるべく枢着された上記実施形態同様の中間部４２とを有している。前記ベース１に対し相対動作可能に設けられた他端部４３とを具備している。
【００３５】
そして本変形例では、他端部４３が、弾性変形部４７、当接面４８に加え、弾性変形部４７からさらに後方に枝分かれするように突出した乗り越え部４９を有するものとしている。具体的に説明すると他端部４３は、図８〜図１０に示すように、前記ベース１に対し相対動作可能に設けられ、中間部４２から下方に帯状に突出するように形成されているが、操作部２の動作に応じて弾性変形し得る弾性変形部４７は、ベースカバー１２の下後端部１５に当接するのではなく、収容部本体３１の底壁に対し当接面４８が当接するものとしている。加えてこの当接面４８の当接により、弾性変形部４７は中間部４２の膨出部４２ａとともに弾性変形し得る。このため、後部カバー４はもとの状態に戻ろうとする弾性反発力が蓄積され、この弾性反発力は一端部４１が操作部カバー２２の下面２２ａ側に接触をもたらせて、後部カバー４が開口部Ｈを隙間無く塞ぐことに寄与している。
【００３６】
しかして本変形例では、図９に想像線で示す様に、針収容部３内のステープルを交換する際にとる針交換姿勢（Ｃ）としたときに、乗り越え部４９がベースカバーの下後端部１５に設けた突起１６を適宜乗り越えることにより、針交換姿勢（Ｃ）において後部カバー４は中間部４２を中心に回動し、一端部４１も他端部４３も操作部カバー４１やベースカバー１２に係り合うことなく無理な弾性変形が起こることが有効に回避されている。
【００３７】
詳細には、図８及び図９に実線で示す通常の使用時にある姿勢では、他端部４３は当接面４８の位置で収容部本体３１の底壁３１ａに適宜当接し、図１０で破線で示すとおり、弾性変形部４７が膨出部４２ａとともに適宜弾性変形し得る。他方図９で想像線で示す針交換姿勢（Ｃ）に至る際には他端部４３は乗り越え部４９が突起１６の乗り越え面１７に一時的に接した状態を経て乗り越えて図１１に示す様に、中間部４２を中心に回転しつつ、他端部４３は弾性変形部４７も乗り越え部４９の何れもベースカバー１２や収容部本体３１等に干渉されない状態となっている。このため、ステープラの収容部本体３１の一部が上方に開放されステープルを交換し得る針交換姿勢（Ｃ）を好適に保ち得る。
【００３８】
以上のような構成とすることにより、本変形例に係るステープラは上記実施形態同様、最も下側にある他端部４３を固定せずに開放させて、ベース１に対して相対動作可能としているので、操作部２の操作域全域に亘る過度な弾性変形を抑えたものとしている。これにより、後部カバー４の構成をより薄肉としても耐久性を維持でき、このことがステープラの軽量化、コンパクト化に有効に寄与している。
【００３９】
しかも本変形例では、針交換姿勢（Ｃ）においても乗り越え部４９が突起１６の乗り越え面１７に一時的に接した状態を経て乗り越えるので、やはり他端部４３は過度な弾性変形が抑えられつつ、好適に開口部Ｈを被覆した状態を維持し得る。
【００４０】
以上、本発明の実施形態について説明したが、各部の具体的な構成は、上述した実施形態のみに限定されるものではなく、本発明の趣旨を逸脱しない範囲で種々変形が可能である。
【００４１】
例えば、上記実施形態では後部カバーを樹脂の一体成形とした態様を開示したが、勿論、プレス等により形成された金属製のものであってもよい。またステープルの具体的な大きさや形状、さらにはステープラ自体のサイズ、若しくは後部カバーが枢支される具体的態様等は、上記実施形態のものに限定されることはなく、既存のものを含め、種々の態様のものを適用することができる。
【００４２】
その他、各部の具体的構成についても上記実施形態に限られるものではなく、本発明の趣旨を逸脱しない範囲で種々変形が可能である。
【産業上の利用可能性】
【００４３】
本発明は紙葉類を綴じる用途に用いられるステープラとして利用することができる。
【符号の説明】
【００４４】
１…ベース
１１…針受部
１３…支軸
２…操作部
３…針収容部
４…後部カバー
４１…一端部
４２…中間部
４３…他端部
４７…弾性変形部
Ｈ…開口部
【図１】
0005987328.tif 000002
【図２】
0005987328.tif 000003
【図３】
0005987328.tif 000004
【図４】
0005987328.tif 000005
【図５】
0005987328.tif 000006
【図６】
0005987328.tif 000007
【図７】
0005987328.tif 000008
【図８】
0005987328.tif 000009
【図９】
0005987328.tif 000010
【図１０】
0005987328.tif 000011
【図１１】
0005987328.tif 000012